(57)【要約】【課題】棒状の炭を露出させた状態で交換自在に収納する体裁の良い炭収納ケースを提供する。【解決手段】開口面（３）を備えたケース（１）内には複数本の棒状の炭（５）を該開口面に臨ませた状態で出し入れ自在に配設し、該ケースを建物内における天井又は壁に該開口面が室内側に向いた状態で取り付けたことを特徴とする炭収納ケース。開口面には網状体（１７）を取り付ける。建物には前記ケース内に外気を導入する外気導入手段（１９）を備えさせると共に該ケースが取り付けられた室内の空気を建物外に排出する排気手段（２１）を備えさせる。【選択図】　図１
2004003224.tif 000002
【特許請求の範囲】
【請求項１】
開口面を備えたケース内には複数本の棒状の炭を該開口面に臨ませた状態で出し入れ自在に配設し、該ケースを建物内における天井又は壁に該開口面が室内側に向いた状態で取り付けたことを特徴とする炭収納ケース。
【請求項２】
前記開口面に網状体を取り付けたことを特徴とする請求項１の炭収納ケース。
【請求項３】
建物には前記ケース内に外気を導入する外気導入手段を備えさせると共に該ケースが取り付けられた室内の空気を建物外に排出する排気手段を備えさせたことを特徴とする請求項１又は２の炭収納ケース。
【請求項４】
前記ケースは木質素材により形成すると共に該ケースの表面を予め焼いたことを特徴とする請求項１〜３のいずれかの炭収納ケース。
【発明の詳細な説明】
【０００１】
【発明の属する技術分野】
本発明は棒状の炭を収納してなる炭収納ケースに関するものであり、特に除湿、消臭等のために建物内における天井又は壁に取り付けるようにした炭収納ケースに係るものである。
【０００２】
【従来の技術】
特開平１１−５０５６０号公報は、建物の室内における天井の下面と壁の室内側面とに棒状の炭をセメント等の繋ぎ材を用いて固着するようにしてなる建材を開示している。天井の下面と壁の室内側面とに固着された棒状の炭は室内側に露出している。
【０００３】
【発明が解決しようとする課題】
上記従来の事例において天井の下面と壁の室内側面とに固着された棒状の炭は室内の除湿、消臭を行なうものではあるが、次のような問題がある。
【０００４】
（イ）炭は天井の下面と壁の室内側面とにセメント等により固着されているため、炭を天井ないし壁から取り外して乾燥させ、これを再び天井ないし壁に固着することは不可能であり、また、炭を天井ないし壁から取り外して燃料として再利用することもできない。
【０００５】
（ロ）炭は天井や壁に露出した状態で固定されているため、極めて破損し易いものであるが、炭は天井や壁にセメント等により固着されているため、炭が破損した場合にこれを取り外して新しい炭と交換することは極めて困難である。
【０００６】
（ハ）炭を天井や壁に固着することは多大な時間と労力を要する面倒な作業である。
【０００７】
（ニ）炭を天井や壁に固着する作業は大きな費用を発生させる。
【０００８】
本発明は上記従来の技術における上述の如き問題を解決しようとしてなされたものである。
【０００９】
【課題を解決するための手段】
上記課題を解決するために、本考案は下記の炭収納ケースを提供するものである。
【００１０】
（１）開口面を備えたケース内には複数本の棒状の炭を該開口面に臨ませた状態で出し入れ自在に配設し、該ケースを建物内における天井又は壁に該開口面が室内側に向いた状態で取り付けたことを特徴とする炭収納ケース（請求項１）。
【００１１】
（２）前記開口面に網状体を取り付ける（請求項２）。
【００１２】
（３）建物には前記ケース内に外気を導入する外気導入手段を備えさせると共に該ケースが取り付けられた室内の空気を建物外に排出する排気手段を備えさせる（請求項３）。
【００１３】
（４）前記ケースは木質素材により形成すると共に該ケースの表面を予め焼くものとする（請求項４）
【００１４】
特許請求の範囲を含む本明細書における「室内」には、部屋の内側のみならず、玄関、廊下、ホールその他の建物構成部の内側も含まれるものとする。また、特許請求の範囲を含む本明細書における「木質素材」には製材品の他、合板、繊維板、集成材も含まれるものとする。
【００１５】
【作用】
［請求項１の炭収納ケース］
複数本の棒状の炭はケースの開口面を通して室内側に露出しており、室内の除湿、消臭等を行なう。複数本の炭はケースの開口面を通して室内から見ることができる。
【００１６】
棒状の炭はケースに対し出し入れ自在である。従って、必要に応じて炭をケースから取り出して乾燥させた後、該炭を再びケース内に収納することも可能である。また、炭をケースから取り出して燃料として再利用することもできる。
【００１７】
棒状の炭はケースに対し出し入れ自在であるため、炭が破損した場合にこれをケースから取り出して新しい炭と交換することも容易である。
【００１８】
［請求項２の炭収納ケース］
開口面に取り付けられた網状体はケース内の炭を支承する。
【００１９】
［請求項３の炭収納ケース］
外気導入手段によりケース内に導入された外気は複数本の棒状の炭又はその近傍を通過して室内に入る。即ち、外気は除湿、消臭された状態で室内に導入される。室内の空気は排気手段により建物外に排出される。
【００２０】
［請求項４の炭収納ケース］
ケースの表面を予め焼くようにしたため、ケースの表面は黒色となる。従って、ケース内に棒状の炭を配設したときに炭と炭との間にケース内部の表面の色が見えることが防止される。炭と炭との間にケース内部の表面の色が見えるのは体裁面で好ましくない。また、ケースの表面を予め焼くようにしたため、ケース自体も室内の除湿、消臭等を行なうという炭と同様の作用をなす。
【００２１】
【発明の実施の形態】
次に、本発明の実施の形態を添付図面に従って説明する。
符号１に示すものはケースである。ケース１は浅箱状体であり、ケース１の一面を開口面３となす。
【００２２】
ケース１は木質素材により形成すると共に該ケース１の表面を予め焼くことが望ましい。
【００２３】
ケース１内には複数本の棒状の炭５、５…を開口面３に臨ませた状態で出し入れ自在に配設する。
【００２４】
複数本の棒状の炭５、５…をケース１に対し出し入れ自在となすためには、例えば図２に示すように炭５、５…をケース１の開口面３から出し入れ自在としてもよいが、図３、図４に示すようにケース１自体を分解可能に形成してもよい。図３に示す事例においては、ケース１はケース構成部材１ａ、１ｂ、１ｃを分解可能にねじにより組み合わせてなるものである。図４に示す事例においては、ケース１はケース構成部材１ｄ、１ｅ、１ｆを分解可能にねじにより組み合わせてなるものである。なお、ケース１は木製とし、表面を予め焼いておくことが望ましい。
【００２５】
ケース１を建物内における天井（図１、図２、図５参照）又は壁（図６参照）に開口面３が室内側に向いた状態で取り付ける。なお、ケース１は新築の建物のみならず既存の建物に対しても取り付けることができる。
【００２６】
ケース１を建物における天井に取り付けた事例を示す図１、図２、図５において、符号７に示すものは天井板、符号９に示すものは野縁、符号１１に示すものは野縁受である。
【００２７】
図５に示す事例においては、天井板７に取付穴１３を形成し、該取付穴１３に支持枠１５を介してケース１を取り付けている。
【００２８】
ケース１の開口面３には網状体１７を着脱自在に取り付けてもよい。
【００２９】
図１〜図５に示す事例においては、建物にはケース１内に外気を導入する外気導入手段１９を備えさせると共に該ケース１が取り付けられた室内の空気を建物外に排出する排気手段２１を備えさせている。外気導入手段１９と排気手段２１は、一例として、それぞれダクト１９ａにファン（図示せず。）を備えさせてなるものとする。符号２３に示すものはケース１の背面に形成されたダクト１９ａの導入孔である。符号２４に示すものはケース１の側面に形成された透孔である。
【００３０】
図６に示す事例においては、ケース１は垂直の壁２５に突設した支持突起２７に紐２９を介して吊下げられている。ケース１は壁２５に固定しても差し支えない。
【００３１】
【発明の効果】
［請求項１の発明］
請求項１の発明においては、複数本の棒状の炭はケースの開口面を通して室内側に露出しており、複数本の棒状の炭は室内から見ることができるだけでなく、室内の除湿、消臭等を行なうという前記従来の技術における効果を維持しつつ、更に進んで下記の効果を発揮する。
【００３２】
棒状の炭はケースに対し出し入れ自在である。従って、必要に応じて炭をケースから取り出して乾燥させた後、該炭を再びケース内に収納することも可能である。また、炭をケースから取り出して燃料として再利用することもできる。
【００３３】
棒状の炭はケースに対し出し入れ自在であるため、炭が破損した場合にこれをケースから取り出して新しい炭と交換することも容易である。
【００３４】
ケースを天井や壁に取り付ける作業は容易であり、ケースの取り付けに要する費用は低廉である。
【００３５】
更に、炭収納ケースは開口面を備えたケース内に複数本の棒状の炭を該開口面に臨ませた状態で配設したものであり、該ケースを建物の天井や壁に取り付けた際の体裁面でも申し分ないものである。
【００３６】
［請求項２の発明］
開口面に取り付けられた網状体はケース内の炭を好ましく支承する。
【００３７】
［請求項３の発明］
外気導入手段によりケース内に導入された外気は複数本の棒状の炭又はその近傍を通過して室内に入るため、外気は除湿、消臭された状態で室内に導入される。室内の空気は排気手段により建物外に排出される。
【００３８】
［請求項４の発明］
ケースの表面を予め焼くようにしたため、ケースの表面は黒色となる。従って、ケース内に棒状の炭を配設したときに炭と炭との間にケース内部の表面の色が見えることが防止され、体裁面でも極めて好ましい。また、ケースの表面を予め焼くようにしたため、ケース自体も室内の除湿、消臭等を行なうという炭と同様の効果を発揮する。
【図面の簡単な説明】
【図１】本発明による炭収納ケースを天井に取り付けた状態を示す斜視図である。
【図２】本発明による別の炭収納ケースを天井に取り付けた状態を示す断面図である。
【図３】本発明による更に別の炭収納ケースを示す断面図である。
【図４】本発明による更に別の炭収納ケースを示す断面図である。
【図５】本発明による更に別の炭収納ケースを天井に取り付けた状態を示す断面図である。
【図６】本発明による更に別の炭収納ケースを壁に取り付けた状態を示す断面図である。
【符号の説明】
１　ケース
１ａ　ケース構成部材
１ｂ　ケース構成部材
１ｃ　ケース構成部材
１ｄ　ケース構成部材
１ｅ　ケース構成部材
１ｆ　ケース構成部材
３　開口面
５　棒状の炭
７　天井板
９　野縁
１１　野縁受
１３　取付穴
１５　支持枠
１７　網状体
１９　外気導入手段
１９ａ　ダクト
２１　排気手段
２３　導入孔
２４　透孔
２５　壁
２７　支持突起
２９　紐
【図１】
2004003224.tif 000003
【図２】
2004003224.tif 000004
【図３】
2004003224.tif 000005
【図４】
2004003224.tif 000006
【図５】
2004003224.tif 000007
【図６】
2004003224.tif 000008